(57)【要約】【課題】記憶部の記憶容量を増やすことなく録画可能な動画数を増やすことができる監視システムを提供することにある。【解決手段】監視システムは、カメラ装置１とモニタ装置２とを備え、カメラ装置１は、撮像部１０の撮像画像を送信する画像送信部１１と、撮像画像より検知対象物の存否を判定する画像処理部１２と、画像処理部１２の判定結果を示す検知状態信号を送信する検知状態信号送信部１３とを有し、モニタ装置２は、画像送信部１１より撮像画像を受信する画像受信部２０と、画像受信部２０で受信された時系列順の撮像画像群（受信画像群）を動画として記憶部２２に録画する録画部２３と、録画部を制御する制御部２５と、検知状態信号送信部１３より検知状態信号を受信し制御部２５に出力する検知状態信号受信部２１とを有し、制御部２５は、検知状態信号に基づいて、受信画像群のうち検知対象物が写っている受信画像群を録画部２３に録画させる。【選択図】図１
2010004287.tif 000002
【特許請求の範囲】
【請求項１】
カメラ装置とモニタ装置とを備え、カメラ装置は、所定の撮像領域を撮像する撮像部と、当該撮像部で撮像された撮像画像を時系列順にモニタ装置に送信する画像送信部とを有し、モニタ装置は、画像送信部により送信された撮像画像を受信する画像受信部と、画像受信部で受信された時系列順の撮像画像群を動画として記憶部に録画する録画部と、録画部を制御する制御部と、画像受信部で受信された時系列順の撮像画像群あるいは記憶部に録画された動画を表示する画像表示部とを有する監視システムであって、
カメラ装置の撮像部で撮像された撮像画像に検知対象物が写っているか否かを判定する判定手段と、判定手段の判定結果に基づいて撮像画像に検知対象物が写っているかを示す検知状態信号を制御部に出力する検知状態信号出力手段とを有し、
制御部は、検知状態信号に基づいて、画像受信部で受信された時系列順の撮像画像群のうち検知対象物が写っていると判定された撮像画像群が録画されるように録画部を制御することを特徴とする監視システム。
【請求項２】
上記判定手段は、上記カメラ装置に設けられ、
上記検知状態信号出力手段は、上記カメラ装置に設けられ上記検知状態信号を上記モニタ装置に送信する検知状態信号送信部と、上記モニタ装置に設けられ検知状態信号送信部により送信された検知状態信号を受信し上記制御部に出力する検知状態信号受信部とを有していることを特徴とする請求項１記載の監視システム。
【請求項３】
上記判定手段および上記検知状態信号出力手段は、上記モニタ装置に設けられていることを特徴とする請求項１記載の監視システム。
【請求項４】
上記制御部は、検知状態信号に基づいて、上記画像受信部で受信された時系列順の撮像画像群のうち検知対象物が写っていると判定された撮像画像群が時系列順に表示されるように上記画像表示部を制御することを特徴とする請求項１〜３のうちいずれか１項記載の監視システム。
【請求項５】
上記モニタ装置は、上記画像受信部で受信された撮像画像群と当該撮像画像群に対応する上記検知状態信号とを一時的に記憶する一次記憶部を有し、
上記制御部は、一次記憶部に記憶された上記検知状態信号に基づいて、上記一次記憶部に記憶された撮像画像群を動画として上記記憶部に録画するように上記録画部を制御することを特徴とする請求項１〜４のうちいずれか１項記載の監視システム。
【発明の詳細な説明】
【技術分野】
【０００１】
本発明は、監視システムに関するものである。
【背景技術】
【０００２】
近年、防犯意識の向上により、訪問者（外来者）の顔を確認できる機能や不在時の訪問者の顔を録画できる機能などの利便性が評価され、インターホンシステム（住宅用インターホンシステム、ドアホンシステム）が普及してきている（例えば特許文献１参照）。
【０００３】
また、このようなインターホンシステムとしては、人体を検出して報知することで住宅周辺の警戒を行い、住宅への侵入を未然に防止するための撮像装置を組み込んだものが提案されている（例えば、特許文献２参照）。このようなインターホンシステムは、セキュリティインターホンシステムとも呼ばれている。
【０００４】
ここで、特許文献２に示すものでは、カメラ装置とモニタ装置とによって監視システムが構成されている。
【０００５】
カメラ装置は、画像処理型人体検知器と、熱線式人体検知器と、撮像部で得られた撮像画像（画像データ）群を時間軸に対して圧縮して記憶部に蓄積する画像蓄積部と、人の存在を検知した際に画像蓄積部により蓄積された撮像画像群のうち撮像時刻が検知時刻以前の撮像画像を有する撮像画像群からなる過去画像データをその撮像時刻順にモニタ装置に伝送し、過去画像データの伝送終了後にリアルタイム画像データ（撮像部で撮像中の画像データ）を所定の伝送時間の間モニタ装置に伝送する画像伝送部とを備える。
【０００６】
一方、モニタ装置は、画像表示部と、伝送された画像データに基づく画像を記憶部に順次録画する録画部と、記憶部に録画された画像を画像表示部に表示する再生部とを備える。
【特許文献１】特開２００４−１２０１７２号公報
【特許文献２】特開２００７−１９４８６３号公報
【発明の開示】
【発明が解決しようとする課題】
【０００７】
上記特許文献２に示す監視システムでは、カメラ装置の画像処理型人体検知器や熱線式人体検知器で人の存在が検知される度に、カメラ装置からモニタ装置に撮像部で得られた撮像画像群が伝送され、モニタ装置の記憶部に動画として録画される。
【０００８】
このような監視システムでは、動画の取りこぼしが生じないことが好ましく、そのための方法としては、記憶部で録画可能な動画数を増やすことが考えられる。ここで、記憶部で録画可能な動画数を増やす簡単な方法としては、記憶部の記憶容量を増やすことであるが、より記憶容量が大きい記憶部を用いることは、モニタ装置の大型化や、高コスト化の一因になってしまう。
【０００９】
また、特許文献２に示す監視システムでは、カメラ装置からモニタ装置への画像データの伝送の終了を人の存在が検知されてから所定の伝送時間経過後としているから、カメラ装置で人を検知した期間の短長によらず、モニタ装置の記憶部には同じデータ・サイズの動画が録画される。そのため、特許文献２に示すものでは、記憶部に、人がほとんど写っていない動画が録画されることが多々あり、記憶部の記憶領域が無駄に使用される（記憶部の使用効率が悪い）という問題があった。
【００１０】
本発明は上述の点に鑑みて為されたもので、その目的は、記憶部の記憶容量を増やすことなく録画可能な動画数を増やすことができる監視システムを提供することにある。
【課題を解決するための手段】
【００１１】
上記の課題を解決するために、請求項１の発明では、カメラ装置とモニタ装置とを備え、カメラ装置は、所定の撮像領域を撮像する撮像部と、当該撮像部で撮像された撮像画像を時系列順にモニタ装置に送信する画像送信部とを有し、モニタ装置は、画像送信部により送信された撮像画像を受信する画像受信部と、画像受信部で受信された時系列順の撮像画像群を動画として記憶部に録画する録画部と、録画部を制御する制御部と、画像受信部で受信された時系列順の撮像画像群あるいは記憶部に録画された動画を表示する画像表示部とを有する監視システムであって、カメラ装置の撮像部で撮像された撮像画像に検知対象物が写っているか否かを判定する判定手段と、判定手段の判定結果に基づいて撮像画像に検知対象物が写っているかを示す検知状態信号を制御部に出力する検知状態信号出力手段とを有し、制御部は、検知状態信号に基づいて、画像受信部で受信された時系列順の撮像画像群のうち検知対象物が写っていると判定された撮像画像群が録画されるように録画部を制御することを特徴とする。
【００１２】
請求項１の発明によれば、画像受信部で受信された時系列順の撮像画像群の全てを動画として記憶部に録画するのではなく、撮像画像に検知対象物が写っているかを示す検知状態信号に基づいて、画像受信部で受信された撮像画像のうち検知対象物が写っていると判定された撮像画像群を動画として記憶部に録画するので、画像受信部で受信された時系列順の撮像画像群のうち検知対象物が写っていない撮像画像を省くことが可能になる。そのため、記憶部に録画される動画の容量を少なくすることができるようになり、記憶部を効率良く使用することができる。よって、記憶部の記憶容量を増やすことなく録画可能な動画数を増やすことができる。
【００１３】
請求項２の発明では、請求項１の発明において、上記判定手段は、上記カメラ装置に設けられ、上記検知状態信号出力手段は、上記カメラ装置に設けられ上記検知状態信号を上記モニタ装置に送信する検知状態信号送信部と、上記モニタ装置に設けられ検知状態信号送信部により送信された検知状態信号を受信し上記制御部に出力する検知状態信号受信部とを有していることを特徴とする。
【００１４】
請求項２の発明によれば、判定手段がカメラ装置に設けられているので、判定手段をモニタ装置に設けた場合とは異なり、必要なとき（例えば対象物を検知したときだけ）だけ撮像画像をモニタ装置に送信することができるようになるから、カメラ装置からモニタ装置に送信する撮像画像のデータ量を削減することができ、また低消費電力化が図れる。
【００１５】
請求項３の発明では、請求項１の発明において、上記判定手段および上記検知状態信号出力手段は、上記モニタ装置に設けられていることを特徴とする。
【００１６】
請求項３の発明によれば、判定手段がモニタ装置に設けられているので、判定手段をカメラ装置に設けた場合とは異なり、カメラ装置からモニタ装置に検知状態信号を送信しなくて済むから、検知状態信号の送受のための通信線などが不要になり、低コスト化が図れる。また、監視システムを構成するにあたって、汎用のカメラ装置を利用することができるようになり、システムの構築が容易になる。
【００１７】
請求項４の発明では、請求項１〜３のうちいずれか１項の発明において、上記制御部は、検知状態信号に基づいて、上記画像受信部で受信された時系列順の撮像画像群のうち検知対象物が写っていると判定された撮像画像群が時系列順に表示されるように上記画像表示部を制御することを特徴とする。
【００１８】
請求項４の発明によれば、画像受信部で受信された時系列順の撮像画像群の全てを画像表示部で表示するのではなく、撮像画像に検知対象物が写っているかを示す検知状態信号に基づいて、画像受信部で受信された撮像画像のうち検知対象物が写っていると判定された撮像画像群を画像表示部で表示するので、画像受信部で受信された時系列順の撮像画像群のうち検知対象物が写っていない撮像画像を省くことが可能になるから、無駄な撮像画像の表示を抑制することができるようになり、画像表示部の駆動に必要な電力の低消費化を図ることができる。
【００１９】
請求項５の発明では、請求項１〜４のうちいずれか１項の発明において、上記モニタ装置は、上記画像受信部で受信された撮像画像群と当該撮像画像群に対応する上記検知状態信号とを一時的に記憶する一次記憶部を有し、上記制御部は、一次記憶部に記憶された上記検知状態信号に基づいて、上記一次記憶部に記憶された撮像画像群を動画として上記記憶部に録画するように上記録画部を制御することを特徴とする。
【００２０】
請求項５の発明によれば、画像受信部で受信された撮像画像群と検知状態信号とを一時記憶部に記憶するため、検知状態信号に基づいて、画像受信部で受信された撮像画像群のなかから、適切な撮像画像を取捨選択して記憶部に録画することができる。例えば、所定時間内に、判定手段により複数回、検知対象物が存在すると判定された場合に、検知対象物が存在すると判定された期間の撮像画像に加えて、検知対象物が存在すると判定された期間の間の撮像画像を、記憶部に録画することができる。この場合、検知対象物が撮像領域に存在しなくなった後に、再度撮像領域に侵入した場合には、検知対象物が存在すると判定された期間の撮像画像に加えて、その間の期間の撮像画像も記憶部に録画することができ、途切れることがない。そのため、撮像画像に写った検知対象物の挙動が確認し易くなり、使用者に安心感を与えることができる。
【発明の効果】
【００２１】
本発明は、記憶部の記憶容量を増やすことなく録画可能な動画数を増やすことができるという効果を奏する。
【発明を実施するための最良の形態】
【００２２】
（実施形態１）
本実施形態の監視システムは、例えば住宅屋内外間で通話を行うためのドアホンシステムに組み込まれている。
【００２３】
図２に示すドアホンシステムは、住宅Ｈの庭に設置されるカメラ装置（撮像装置）１と、住宅Ｈ内（屋内）に設置される親機（ドアホン親機）よりなりカメラ装置１とともに監視システムを構成するモニタ装置（監視装置）２と、住宅Ｈ外（屋外）に設置される子器（ドアホン子器）３とで構成されている。なお、カメラ装置１および子器３はモニタ装置２に伝送線により接続されている。また、子器３は従来周知のものを採用することが可能であるから、本実施形態では子器３の説明を省略する。
【００２４】
カメラ装置１は、図１に示すように、所定の撮像領域を時系列で連続的に撮像する撮像部１０を有する。撮像部１０は、ＣＣＤイメージ・センサやＣＭＯＳイメージ・センサなどの固体撮像素子よりなる撮像素子（図示せず）と、当該撮像素子とともにカメラとしての機能を発揮するＤＳＰ（Digital Signal Processor）などの制御装置（図示せず）とを主構成要素として備える。当該制御装置は、図３（ａ）に示すように、撮像素子の出力（電荷）を所定のフレームレート（例えば１５ＦＰＳ）で取り込み、取り込んだ撮像素子の出力に基づいて所定の形式（例えばＹＵＶ形式）のデジタル・データである画像データ（以下、「撮像画像」と称する）Ｐｎ（図３では時系列の撮像画像を区別するためにＰ１〜Ｐ５２で表す）を作成して出力する機能を有する。この他、制御装置は、撮像素子の利得の自動制御機能や、画像を濃淡画像などに変換する色制御機能などを有する。なお、撮像素子としてＣＭＯＳイメージ・センサを用いる場合、撮像部１０として、システム・オン・チップ（ＳｏＣ）技術などを利用して撮像素子と制御装置とを一体に構成したワンチップカメラを用いることもできる。
【００２５】
さらに、カメラ装置１は、撮像部１０の撮像画像をモニタ装置２に送信する画像送信部１１と、撮像部１０の撮像画像に検知対象物（本実施形態では人）が写っているか否かの判定を行う画像処理部１２と、画像処理部１２の判定結果に基づいて撮像画像に検知対象物が写っているかを示す検知状態信号をモニタ装置２に送信する検知状態信号送信部１３と、カメラ装置１の全体的な制御を行う制御部（以下、「カメラ側制御部」と称する）１４とを有する。また、カメラ装置１には必要に応じて撮像画像が記憶される記憶部（図示せず）を有する。
【００２６】
画像送信部１１は、伝送線（通信線）Ｌ１によりモニタ装置２の後述する画像受信部２０に接続される。画像送信部１１は、通信インタフェースやＦＰＧＡ（Field Programmable Gate Array）などを利用して構成される。画像送信部１１は、カメラ側制御部１４より後述する伝送開始信号を受け取ると、撮像部１０により撮像中の撮像画像を符号化（伝送路符号化）してモニタ装置２に送信する処理（画像送信処理）を実行する。当該画像送信処理は、カメラ側制御部１４より後述する伝送終了信号を受け取った際に終了される。ここで、画像送信部１１からモニタ装置２に撮像画像を送出するタイミングは、撮像部１０のフレームレートと同期させている。なお、画像送信部１１は、撮像画像を伝送路符号化する前に、ＹＵＶ形式の撮像画像をＮＴＳＣ形式の撮像画像に変換する処理（ＹＵＶ／ＮＴＳＣ変換処理）を実行する。ただし、モニタ装置２においてＹＵＶ形式の撮像画像のままで再生が可能であれば、ＹＵＶ／ＮＴＳＣ変換処理は実行する必要がない。この他、画像送信部１１は、必要に応じて撮像画像を圧縮する処理や、撮像画像の輪郭を強調する処理などを行う。
【００２７】
画像処理部１２は、撮像部１０の撮像画像に検知対象物が写っているか否かの判定を行うにあたっては、第１の処理（輪郭抽出処理）と、第２の処理（移動輪郭抽出処理）と、第３の処理（移動領域検出処理）と、第４の処理（領域特徴量検出処理）とを実行する。なお、画像処理部１２には、ＲＡＭなどの記憶装置よりなり、輪郭抽出処理で作成されたエッジ画像を一定期間保存するための輪郭画像記憶部（図示せず）が設けられる。
【００２８】
輪郭抽出処理は、一般的に知られたＳＯＢＥＬフィルタなどを使用して撮像部１０から得られる撮像画像を微分処理してエッジ（輪郭）の抽出を行い、各撮像画像のエッジ画像を上記輪郭画像記憶部に一定期間保存する処理である。移動輪郭抽出処理は、上記輪郭画像記憶部に保存された時系列のエッジ画像を用いて論理合成を行い、移動体のエッジのみを抽出した合成画像を作成する処理である。移動領域検出処理は、移動輪郭抽出処理で作成された合成画像をラベリングして移動体に相当する領域（以下、「移動領域」と称する）を検出する処理である。なお、上記移動領域は、移動体の輪郭に外接する四角形等の移動枠で表わせばデータ量が減り、計算が容易となる。また、この手法を用いればフレーム差分などとは異なり、残像がなく移動した領域のエッジのみを抽出できる。
【００２９】
最後の領域特徴量検出処理は、エッジ方向値分布作成処理と、判定処理とで構成される。エッジ方向値分布作成処理は、上記輪郭画像記憶部に保存されたエッジ画像と移動領域検出処理で作成された移動体の移動領域とに基づいて、移動領域内の移動エッジ部分の方向値を抽出してそのエッジ方向値分布を作成する処理である。判定処理は、エッジ方向値分布作成処理で作成されたエッジ方向値分布を移動領域のエッジ方向の特徴量として、このエッジ方向の特徴量に基づいて領域移動が外乱によるものか検知対象物によるものかを判定する処理である。
【００３０】
ここで、領域移動が外乱によるものか人によるものかを判定する際には、エッジの分布を利用することができる。すなわち、人体のエッジには直線部分より曲線部分が多く且つ複雑な形状であるため、そのエッジ方向はあらゆる方向に分布しており、対して構造物の影などのエッジは直線的な成分が多く、エッジの分布は偏った分布になりやすいことを利用している。また、ある移動領域が人体を表わしている否かを判定するために、エッジ方向値分布をテーブルに格納し、人体の動きによるエッジ方向値分布テーブルと互いの分布を比較することも可能である。
【００３１】
画像処理部１２は、上記の処理を実行した結果、撮像部１０の撮像画像に検知対象物が写っていると判定すると、カメラ側制御部１４にハイレベルの人体検知信号（図３（ｂ）参照）を出力する。本実施形態における人体検知信号は、撮像部１０の撮像画像に検知対象物が写っているときはハイレベル、検知対象物が写っていないときはロウレベルに設定される信号である。
【００３２】
このように本実施形態の監視システムでは、画像処理部１２が、カメラ装置１の撮像部１０で撮像された撮像画像に検知対象物が写っているか否かを判定する判定手段を構成する。なお、画像処理部１２は、例えばマイクロコンピュータ（マイクロコントローラ、略称としてマイコン、広義にはＣＰＵとも称される）であり、メモリに記憶されたプログラムをＣＰＵで実行することにより上記の処理を実行する。また、画像処理部１２としてはマイコンの他に専用のＡＳＩＣ（Application Specific Integrated Circuit）やＤＳＰなども利用できる。
【００３３】
検知状態信号送信部１３は、伝送線（通信線）Ｌ２によりモニタ装置２の後述する検知状態信号受信部２１に接続される。検知状態信号送信部１３は、図３（ｄ）に示すように、カメラ側制御部１４より後述する検知開始通知信号を受け取ると、伝送線Ｌ２の電位を「ハイレベル」に設定し（ハイレベルの検知状態信号を出力し）、カメラ側制御部１４より後述する検知終了通知信号を受け取ると伝送線Ｌ２の電位を「ロウレベル」に設定する（ロウレベルの検知状態信号を出力する）。なお、検知状態信号送信部１３により検知状態信号を送信するタイミングと、画像送信部１１により撮像画像を送信するタイミングとは、時間的に大きなずれが生じない（検知対象物が写っていない撮像画像の送信時にはロウレベルの検地状態信号が、検知対象物が写っている撮像画像の送信時にはハイレベルの検地状態信号がそれぞれ送信される）ように、同期を取るようにしている。
【００３４】
カメラ側制御部１４は、例えばメモリに記憶されたプログラムをＣＰＵで実行することにより種々の機能を実現するマイコンなどにより構成される。カメラ側制御部１４は、画像処理部１２よりハイレベルの人体検知信号を受け取った際（つまりは、人の存在を検知した際）には、送信開始処理と、検知開始通知処理と、報知開始処理とを実行する。送信開始処理は、画像送信部１１に前述の伝送開始信号を出力する処理であり、検知開始通知処理は、検知状態信号送信部１３に前述の検知開始通知信号を出力する処理である。一方、報知開始処理は、カメラ装置１に設けた報知部（図示せず）に報知開始信号を出力する処理である。当該報知部は、侵入者に対して威嚇用の報知を行うためのものであって、視覚的な威嚇に用いられるライトや、聴覚的な威嚇に用いられる電気音響変換器（ブザーやスピーカ）などを備えるものであり、報知開始信号を受け取ってから後述する報知終了信号を受け取るまでの間、ライトを点灯したり、電気音響変換器から音声を出力したりする威嚇動作を実行する。
【００３５】
また、カメラ側制御部１４は、画像処理部１２よりハイレベルの人体検知信号を受け取ってから所定の伝送時間が経過したときに、画像送信部１１に前述の伝送終了信号を出力する処理（送信終了処理）を実行する。ここで、上記伝送時間が経過する前（すなわち伝送時間中）に、画像処理部１１よりロウレベルの人体検知信号を受け取ると、カメラ側制御部１４は、検知状態信号送信部１３に前述の検知終了通知信号を出力する処理（検知終了通知処理）を実行する。ここで、カメラ側制御部１４は、上記伝送時間の経過前に再びハイレベルの人体検知信号を受け取った場合には、検知開始通知処理を実行するが、上記伝送時間の再カウントは行わず、上記伝送時間が経過した時に予定通り送信終了処理を実行する。さらに、カメラ側制御部１４は、ハイレベルの人体検知信号を受け取ってから所定の警報時間が経過した後に、報知部に前述の報知終了信号を出力する処理（報知終了処理）を実行する。なお、上記伝送時間および上記警報時間は適宜設定される。
【００３６】
モニタ装置２は、図１に示すように、画像送信部１１により送信された撮像画像を受信する前述の画像受信部２０と、検知状態信号送信部１３により送信された検知状態信号を受信する前述の検知状態信号受信部２１とを有する。また、モニタ装置２は、ＲＡＭなどの記憶装置よりなる記憶部２２と、録画部２３と、液晶表示装置などの画像表示装置よりなる画像表示部２４と、モニタ装置２の全体的な制御部を行う制御部（以下、「モニタ側制御部」と称する）２５と、モニタ装置２を操作するためのユーザインタフェースとなる操作入力部（図示せず）と、子器３との間で通話を行うための通話装置（図示せず）とを有する。ここで、通話装置は、子器３との間で音声データなどの送受信を行う通信部や、音声入力用のマイク、音声出力用のスピーカなどを備えている。なお、子器３がカメラ付きのものであるならば、子器３の動作時に、子器３のカメラで撮像した画像を、画像表示部２４に表示するようにしてもよい。このような通話装置については従来周知のものを採用することができるから詳細な説明を省略する。
【００３７】
画像受信部２０は、画像送信部１１より受け取った撮像画像を復号化（伝送路復号化）して録画部２３および画像表示部２４に順次出力する処理を実行する。また、画像受信部２０は、画像送信部１１において撮像画像を圧縮する処理が実行されていた場合には、圧縮された撮像画像を伸張する処理を実行する。
【００３８】
検知状態信号受信部２１は、伝送線Ｌ２の電位を監視し、その監視結果に応じてモニタ側制御部２５に検知状態信号を出力する。本実施形態の場合、検知状態信号受信部２１は、伝送線Ｌ２の電位がハイレベルであればハイレベルの検知状態信号をモニタ側制御部２５に、伝送線Ｌ２の電位がロウレベルであればロウレベルの検知状態信号をモニタ側制御部２５に出力する。このように本実施形態では、検知状態信号送信部１３と検知状態信号受信部２１によって、検知状態信号がモニタ側制御部２５に出力される。
【００３９】
録画部２３は、画像受信部２０で受信された時系列順の撮像画像群（以下、「受信画像群」と称する）を動画として記憶部２２に録画する処理（録画処理）を実行する。ここで、録画部２３は、モニタ側制御部２５より後述する録画開始信号を受け取った際に録画処理を開始し、後述する録画終了信号を受け取ると所定時間経過後に録画処理を終了する。なお、上記所定時間の経過を待たずに、録画終了信号を受け取ると同時に録画処理を終了するようにしてもよい。
【００４０】
画像表示部２４は、上記受信画像群を時系列順に表示する処理（受信画像表示処理）を実行する。当該受信画像表示処理は、画像受信部２０より撮像画像を受け取った際に開始され、撮像画像を受け取らなくなった際に終了される。また、画像表示部２４は、記憶部２２に録画された動画を表示する処理（再生処理）を実行する。当該再生処理は、モニタ側制御部２５より後述する再生開始信号を受け取ったときに開始される。
【００４１】
モニタ側制御部２５は、例えばメモリに記憶されたプログラムをＣＰＵで実行することにより種々の機能を実現するマイコンなどにより構成される。モニタ側制御部２５は、検知状態信号がロウレベルからハイレベルになると録画部２３に前述の録画開始信号を出力する処理（録画開始処理）を実行し、検知状態信号がハイレベルからロウレベルになると録画部２３に前述の録画終了信号を出力する処理（録画終了処理）を実行する。したがって、本実施形態では、モニタ側制御部２５が、録画部２３の制御を行う。
【００４２】
また、モニタ側制御部２５は、上記操作入力部で所定の操作が行われると、前述の再生開始信号を画像表示部２４に出力する処理（再生開始処理）を実行する。
【００４３】
次に本実施形態の監視システムの動作について、図３（ａ）〜（ｅ）を参照して説明する。なお、図３（ａ）は撮像部１０で撮像された撮像画像群を示し、図３（ｂ）は人体検知信号を示し、図３（ｃ）は画像送信部１１が送信する撮像画像群を示し、図３（ｄ）は検知状態信号を示し、図３（ｅ）は録画部２３が記憶部２２に録画する撮像画像群を示す。また、以下では、説明の簡略化のために、処理時間や伝送時間などによる時刻のずれを無視して、同時刻に処理が実行されるとして説明を行う。
【００４４】
カメラ装置１は、図３（ａ）に示すように、起動している間は、常時、撮像部１０により所定の撮像領域を所定のフレームレートで撮像する。撮像部１０で撮像された撮像画像Ｐ１…は、画像送信部１１および画像処理部１２に順次出力される。
【００４５】
画像処理部１２は、所定の時間間隔で、撮像部１０の撮像画像に検知対象物が写っているか否かの判定を行う。ここで、画像処理部１２により検知対象物が写っていると判定される前（時刻ｔ１以前）は、図３（ｂ）に示すように、人体検知信号はロウレベルである。そのためカメラ側制御部１４は、送信開始処理および検知開始通知処理を実行しないので、画像送信部１１より撮像画像は送信されず、また検知状態信号送信部１３が送信する検知状態信号はロウレベルである。
【００４６】
ここで、画像処理部１２により検知対象物が写っていると判定されると（時刻ｔ１）、図３（ｂ）に示すように、カメラ側制御部１４にハイレベルの人体検知信号が出力される。そうすると、カメラ側制御部１４は送信開始処理を実行するので、画像送信部１１は、図３（ｃ）に示すように、撮像部１０により撮像中の撮像画像Ｐをモニタ装置２に送信する画像送信処理を実行する。また、カメラ側制御部１４は、検知開始通知処理を実行し、これによって、検知状態信号送信部１３は、図３（ｄ）に示すように、ハイレベルの検知状態信号を検知状態信号受信部２１に送信する。
【００４７】
モニタ装置２では、画像受信部２０により撮像画像が受信され、録画部２３および画像表示部２４それぞれに送られる。画像表示部２４では、受信画像群を時系列順に表示する受信画像表示処理が実行される。また、検知状態信号受信部２１で受信された検知状態信号がモニタ側制御部２５に入力される。これによってモニタ側制御部２５は録画開始処理を実行し、録画部２３で録画処理が開始される。
【００４８】
その後、画像処理部１２が撮像部１０の撮像画像に検知対象物が写っていないと判定すると、カメラ側制御部１４にロウレベルの人体検知信号が出力される（時刻ｔ２）。そうすると、カメラ側制御部１４は検知終了通知処理を実行し、これによって、検知状態信号送信部１３が送信する検知状態信号はロウレベルになり、このロウレベルの検知状態信号が検知状態信号受信部２１を通じてモニタ側制御部２５に入力される。そうすると、モニタ側制御部２５は録画終了信号を録画部２３に出力する録画終了処理を実行する。そして、録画部２３は、録画終了信号を受け取ってから所定時間経過後（図３に示す例では３フレーム分に相当する時間）に録画処理を終了する（時刻ｔ３）。
【００４９】
そして、カメラ側制御部１４は、画像処理部１２よりハイレベルの人体検知信号を受け取った時刻（時刻ｔ１）から所定の伝送時間が経過すると（時刻ｔ４）、送信終了処理を実行する。これによって、画像送信部１１による画像送信処理が終了される。
【００５０】
監視システムが上記動作を行った場合、カメラ装置１からモニタ装置２には、撮像画像Ｐ７〜Ｐ４３が送信される（図３（ｃ）参照）。一方、モニタ装置２では、カメラ装置１より受け取った撮像画像Ｐ７〜Ｐ４３の全てを録画せず、撮像画像Ｐ７〜Ｐ１８を録画する。
【００５１】
すなわち、以上述べた本実施形態の監視システムによれば、画像受信部２０で受信された時系列順の撮像画像群の全てを動画として記憶部２２に録画するのではなく、撮像画像に検知対象物が写っているかを示す検知状態信号に基づいて、画像受信部２０で受信された撮像画像のうち検知対象物が写っていると判定された撮像画像群を動画として記憶部２２に録画するので、画像受信部２０で受信された時系列順の撮像画像群のうち検知対象物が写っていない撮像画像を省くことが可能になるから、記憶部２２に録画される動画の容量（データ・サイズ）を少なくすることができるようになり、記憶部２２を効率良く使用することができる。よって、記憶部２２の記憶容量を増やすことなく録画可能な動画数を増やすことができる。
【００５２】
また、判定手段となる画像処理部１２がカメラ装置１に設けられているので、画像処理部１２をモニタ装置２に設けた場合とは異なり、必要なとき（例えば対象物を検知したときだけ）だけ撮像画像をモニタ装置２に送信することができるようになるから、カメラ装置１からモニタ装置２に送信する撮像画像のデータ量を削減することができ、また低消費電力化が図れる。
【００５３】
ところで、上記の例では、画像表示部２４で行われる受信画像表示処理は、画像受信部２０より撮像画像を受け取った際に開始され、撮像画像を受け取らなくなった際に終了されるが、受信画像表示処理を行うタイミングはモニタ制御部２５により制御するようにしてもよい。すなわち、画像表示部２４は、モニタ側制御部２５から表示開始信号を受け取った際に受信画像表示処理を開始し、表示終了信号を受け取った際に終了するようにしてもよい。ここで、モニタ側制御部２５は、検知状態信号がハイレベルであれば、画像表示部２４に表示開始信号を出力し、検知状態信号がロウレベルであれば、画像表示部２４に表示終了信号を出力する。
【００５４】
すなわち、モニタ側制御部２５は、検知状態信号に基づいて、画像受信部２０で受信された時系列順の撮像画像群のうち検知対象物が写っていると判定された撮像画像群が時系列順に表示されるように画像表示部２４を制御する。
【００５５】
このようにすれば、画像受信部２０で受信された時系列順の撮像画像群の全てを画像表示部２４で表示するのではなく、撮像画像に検知対象物が写っているかを示す検知状態信号に基づいて、画像受信部２０で受信された撮像画像のうち検知対象物が写っていると判定された撮像画像群を画像表示部２４で表示するので、画像受信部２０で受信された時系列順の撮像画像群のうち検知対象物が写っていない撮像画像を省くことが可能になるから、無駄な撮像画像の表示を抑制することができるようになり、画像表示部２４の駆動に必要な電力の低消費化を図ることができる。
【００５６】
ところで、上記のカメラ側制御部１４は、送信開始処理の実行から上記伝送時間が経過する前に、人体検知信号がロウレベルになり、その後再びハイレベルの人体検知信号を受け取った場合でも、上記伝送時間の再カウントは行わない。そのため、この場合には、人体検知信号がハイレベルかロウレベルかによらずに上記伝送時間の経過によりモニタ装置２への撮像画像の送信が終了される。よって、例えば図４において時刻ｔ３と時刻ｔ４との間の時刻で上記伝送時間が経過した場合、人体検知信号がハイレベルであるときの撮像画像Ｐ２９〜Ｐ３７が分断されてしまう（途切れてしまう）。
【００５７】
そこで、カメラ側制御部１４は、送信開始処理の実行から上記伝送時間が経過する前に、人体検知信号がロウレベルになり、その後再びハイレベルの人体検知信号を受け取った場合、上記伝送時間を再カウントする（すなわち上記伝送時間を延長する）処理を行うようにしてもよい。このようにすれば、人体検知信号がハイレベルであるときの撮像画像群が分断されてしまうことを防止することができる。
【００５８】
以上述べた本実施形態の監視システムの構成はあくまでも本発明の一実施形態であって、本発明の技術的範囲を上記の例に限定する趣旨ではなく、本発明の趣旨を逸脱しない程度に変更することができる。例えば、本実施形態では、画像送信部１１と画像受信部２１との通信、および検知状態信号送信部１３と検知状態信号受信部１４との通信を有線通信により行うようにしているが、無線通信により行うようにしてもよい。また、周波数分割多重方式や時分割多重方式を用いることで、画像送信部１１と検知状態信号送信部１３とを一体化するとともに、画像受信部２１と検知状態信号受信部１４とを一体化するようにしてもよい。また、本実施形態における判定手段は、画像処理部１２により構成されているが、その他のセンサ（例えば熱線センサ）により構成されていてもよいし、画像処理部１２とその他のセンサ（例えば熱線センサ）とで構成されたものであってもよい。この場合、判定手段は、各々の判定結果に基づいて、撮像画像に検知対象が写っているか否かを判定するようにし、これによって判定の精度を向上することができる。このような点は後述する実施形態２，３においても同様である。
【００５９】
（実施形態２）
本実施形態の監視システムは、モニタ装置２の構成が実施形態１と異なっており、カメラ装置１の構成は実施形態１と同じであるから説明および図示を省略する。
【００６０】
本実施形態におけるモニタ装置２は、画像受信部２０で受信された撮像画像群と、検知状態信号とを一時的に記憶する一次記憶部（図示せず）を有する。当該一次記憶部は、例えば、記憶部２２の記憶領域の一部により構成される。
【００６１】
本実施形態におけるモニタ側制御部２５は、実施形態１で述べた種々の処理に加えて、一次記憶処理と、再録判定処理と、再録制御処理とを実行する。
【００６２】
一次記憶処理は、画像受信部２０で撮像画像を受信してから撮像画像を受信しなくなるまでの間（すなわち伝送時間中）に受信した撮像画像群と、当該伝送時間中における検知状態信号の推移（検知状態信号の時間変化）を示す検知状態データとを一次記憶部に記憶させる処理である。
【００６３】
再録判定処理は、検知状態データを元に、上記伝送時間中に、検知状態信号がハイレベルである期間が複数回あったか否かを判定する処理である。この再録判定処理の結果、検知状態信号がハイレベルである期間が１回であれば、再録制御処理は実行されず、この場合、再録判定処理に使用された検知状態データは一次記憶部より消去される。一方、検知状態信号がハイレベルである期間が複数回あった場合（例えば図４（ｂ）に示すような場合）、再録制御処理が実行される。
【００６４】
再録制御処理は、一次記憶部に記憶された検知状態データに基づいて一次記憶部に記憶された撮像画像群を録画部２３により記憶部２２に録画させる処理である。本実施形態における再録制御処理では、モニタ側制御部２５は、検知状態信号がハイレベルである期間の撮像画像に加えて、検知状態信号がハイレベルである期間の間の撮像画像（検知状態信号がロウレベルである期間の撮像画像）を、録画部２３での録画対象とし、録画する撮像画像を示す録画指示信号を作成して録画部２３に与える。その後に、再録制御処理に使用された検知状態データは一次記憶部より消去される。
【００６５】
本実施形態における録画部２３は、実施形態１で述べた種々の処理に加えて、再録画処理を実行する。再録画処理は、録画部２３が録画指示信号を受け取った際に実行される。この再録画処理では、録画部２３は、録画指示信号で指示された撮像画像を一次記憶部より読み出し、読み出した撮像画像群を動画として記憶部２２に録画する。そして、録画部２３は、再録画処理を行った後には、録画処理によって記憶部２２に録画した動画を消去する処理（消去処理）を実行する。これは、再録画処理で記憶部２２に録画された動画と録画処理で記憶部２２に録画された動画とは、内容が重複し、記憶部２２の記憶容量を無駄に使用することになるためである。ただし、消去処理は必ずしも実行する必要はない。また、再録画処理が実行された場合、当該再録処理に使用された撮像画像群は一次記憶部より消去される。
【００６６】
次に本実施形態の監視システムの動作について、図４（ａ）〜（ｅ）を参照して説明する。なお、図４（ａ）は撮像部１０で撮像された撮像画像群を示し、図４（ｂ）は人体検知信号を示し、図４（ｃ）は画像送信部１１が送信する撮像画像群を示し、図４（ｄ）は検知状態信号を示し、図４（ｅ）は再録画処理により記憶部２２に録画された撮像画像群を示す。また、以下では、説明の簡略化のために、処理時間や伝送時間などによる時刻のずれを無視して、同時刻に処理が実行されるとして説明を行う。
【００６７】
カメラ装置１は、図４（ａ）に示すように、起動している間は、常時、撮像部１０により所定の撮像領域を所定のフレームレートで撮像する。撮像部１０で撮像された撮像画像Ｐ１…は、画像送信部１１および画像処理部１２に順次出力される。
【００６８】
画像処理部１２は、所定の時間間隔で、撮像部１０の撮像画像に検知対象物が写っているか否かの判定を行い、検知対象物が写っていると判定される前（時刻ｔ１以前）は、図４（ｂ）に示すように、人体検知信号はロウレベルである。そのためカメラ側制御部１４は、送信開始処理および検知開始通知処理を実行しない。よって、画像送信部１１より撮像画像は送信されず、また検知状態信号送信部１３が送信する検知状態信号はロウレベルである。
【００６９】
ここで、画像処理部１２により検知対象物が写っていると判定されると（時刻ｔ１）、図４（ｂ）に示すように、カメラ側制御部１４にハイレベルの人体検知信号が出力される。そうすると、カメラ側制御部１４は送信開始処理を実行するため、画像送信部１１は、図４（ｃ）に示すように画像送信処理を実行する。また、カメラ側制御部１４は、検知開始通知処理を実行するため、図４（ｄ）に示すように、ハイレベルの検知状態信号が検知状態信号送信部１３より検知状態信号受信部２１に伝送される。
【００７０】
モニタ装置２では、画像受信部２０により受信された撮像画像が録画部２３および画像表示部２４それぞれに送られる。録画部２３では受信画像群記憶処理が実行され、画像表示部２４では受信画像表示処理が実行される。また、検知状態信号受信部２１で受信された検知状態信号はモニタ側制御部２５に入力されるため、モニタ側制御部２５は録画開始処理を実行し、録画部２３で録画処理が開始される。さらに、モニタ側制御部２５は、一次記憶処理を実行するため、一次記憶部には、撮像部１０で撮像された撮像画像群と検知状態信号とが順次記憶される。
【００７１】
その後、画像処理部１２が撮像部１０の撮像画像に検知対象物が写っていないと判定すると（時刻ｔ２）、図４（ｂ）に示すように、カメラ側制御部１４にロウレベルの人体検知信号が出力される。そうすると、カメラ側制御部１４は検知終了通知処理を実行するため、図４（ｄ）に示すようにロウレベルの検知状態信号が検知状態信号送信部１３および検知状態信号受信部２１を通じてモニタ側制御部２５に入力される。よって、モニタ側制御部２５は録画終了処理を実行し、録画部２３は、録画終了信号を受け取ってから所定時間経過後に録画処理を終了する（図４に示す例では、撮像画像Ｐ７〜Ｐ１８までが録画される）。
【００７２】
さらにその後、画像処理部１２よりハイレベルの人体検知信号を受け取った時刻（時刻ｔ１）から上記伝送時間が経過する前に、再度、画像処理部１２により検知対象物が写っていると判定されると（時刻ｔ３）、図４（ｂ）に示すように、カメラ側制御部１４にハイレベルの人体検知信号が出力される。この場合、カメラ制御部１４は、既に送信開始処理を実行しているため、検知開始通知処理のみを実行する。よって、図４（ｄ）に示すように、ハイレベルの検知状態信号が検知状態信号送信部１３より検知状態信号受信部２１に伝送される。
【００７３】
一方、モニタ装置２では、検知状態信号受信部２１で受信された検知状態信号がモニタ側制御部２５に入力されるため、モニタ側制御部２５は録画開始処理を実行し、録画部２３で再び録画処理が開始される。
【００７４】
その後、画像処理部１２が撮像部１０の撮像画像に検知対象物が写っていないと判定すると（時刻ｔ４）、図４（ｂ）に示すように、カメラ側制御部１４にロウレベルの人体検知信号が出力される。その結果、モニタ側制御部２５は録画終了処理を実行し、録画部２３は、録画終了信号を受け取ってから所定時間経過後に録画処理を終了する（図４に示す例では、撮像画像Ｐ２９〜Ｐ４０までが録画される）。
【００７５】
そして、カメラ側制御部１４は、画像処理部１２よりハイレベルの人体検知信号を受け取った時刻（時刻ｔ１）から上記伝送時間が経過すると（時刻ｔ５）、送信終了処理を実行し、画像送信部１１による画像送信処理が終了される。
【００７６】
さらにその後に、上記伝送時間が満了すると（時刻ｔ５）、モニタ側制御部２５において一次記憶処理が終了される。当該一次記憶処理により、一次記憶部には、送信開始処理の実行から上記伝送時間が経過するまでの間（時刻ｔ１〜時刻ｔ５）に撮像部１０で撮像された撮像画像群および検知状態データが記憶されることになる。
【００７７】
一次記憶処理の終了後には再録判定処理が実行される。図４に示す例では、上記伝送時間中（時刻ｔ１〜時刻ｔ５）に、検知状態信号がハイレベルである期間が複数回ある（時刻ｔ１〜時刻ｔ２、時刻ｔ３〜時刻ｔ４）ため、モニタ側制御部２５は再録制御処理を実行する。ここでは、検知状態信号がハイレベルである期間（時刻ｔ１〜時刻ｔ２、時刻ｔ３〜時刻ｔ４）の撮像画像Ｐ７〜Ｐ１５，Ｐ２９〜Ｐ３７に加えて、検知状態信号がハイレベルである期間の間（時刻ｔ２〜時刻ｔ３）の撮像画像Ｐ１６〜Ｐ２８が、録画部２３での録画対象とされる。したがって、再録制御処理では、録画する撮像画像として撮像画像Ｐ７〜Ｐ３７を示す録画指示信号が作成され、モニタ側制御部２５より録画部２３に与えられる。
【００７８】
録画部２３はモニタ側制御部２５より録画指示信号を受け取ると、再録画処理を実行するため、当該録画指示信号で指示された撮像画像（撮像画像Ｐ７〜Ｐ３７）が一次記憶部より読み出され、読み出された撮像画像群が動画として記憶部２２に録画される。また、録画部２３は、再録画処理を行った後には消去処理を実行するため、録画処理によって記憶部２２に録画された動画（すなわち、撮像画像Ｐ７〜Ｐ１８により構成された動画と、撮像画像Ｐ２９〜Ｐ４０により構成された動画）が消去される。
【００７９】
本実施形態の監視システムが上記動作を行った場合、カメラ装置１からモニタ装置２には、撮像画像Ｐ７〜Ｐ４３が送信される（図４（ｃ）参照）。そのため、画像表示部２４には、撮像画像Ｐ７〜Ｐ４３が表示される。そして、録画部２３で行われる録画処理により、記憶部２２には、撮像画像Ｐ７〜Ｐ１８と撮像画像Ｐ２９〜Ｐ４０とが録画される。しかし、再録画処理が実行されるため、最終的には、撮像画像Ｐ７〜Ｐ３７により構成された動画が記憶部２２に録画され、撮像画像Ｐ７〜Ｐ１８により構成された動画と撮像画像Ｐ２９〜Ｐ４０により構成された動画とは消去される。その結果、モニタ装置２では、カメラ装置１より受け取った撮像画像Ｐ７〜Ｐ４３の全てを録画せず、撮像画像Ｐ７〜Ｐ３７が録画される。
【００８０】
以上述べた本実施形態の監視システムによれば、実施形態１と同様の効果を奏する。さらに、画像受信部２０で受信された撮像画像群と検知状態信号とを一次記憶部に記憶するため、検知状態信号に基づいて、受信画像群のなかから、適切な撮像画像を取捨選択して記憶部２２に録画することができる。
【００８１】
特に、本実施形態の監視システムでは、画像送信部１１による画像送信処理が終了すると、一次記憶部に記憶された検知状態信号に基づいて、所定時間（本実施形態では伝送時間）内に、検知状態信号がハイレベルである期間が複数回あったか否かを判定する。その結果、検知状態信号がハイレベルである期間が複数回あった場合には、検知状態信号がハイレベルである期間の撮像画像に加えて、検知状態信号がハイレベルである期間の間の撮像画像を、録画部２３により記憶部２２に録画させる。
【００８２】
このように、伝送時間内に、検知対象物が撮像画像に存在しなくなった（撮像部１０の撮像領域から人がいなくなった）後に、再度撮像画像に写った（撮像部１０の撮像領域に人が侵入した）場合には、その間の期間の撮像画像も録画することができ、途切れることがない。そのため、画像受信部２０で受信された撮像画像群のうち、検知状態信号がハイレベルである期間の間の撮像画像も確認することができる。よって、撮像画像に写った検知対象物の挙動が確認し易くなり、使用者に安心感を与えることができる。
【００８３】
また、本実施形態のようにモニタ装置２に一次記憶部を設けた場合の他例について以下に説明する。本例の監視システムは、モニタ側制御部２５の処理内容および録画部２３の処理内容が上記の例と異なる。
【００８４】
本例におけるモニタ側制御部２５は、録画開始処理、録画終了処理、再録判定処理、および再録制御処理を実行する機能を有する代わりに、一次記憶処理の終了後に録画制御処理を実行する機能を有する。この録画制御処理では、モニタ側制御部２５は、まず、検知状態データを元に、送信開始処理の実行から上記伝送時間が経過するまでに、検知状態信号がハイレベルである期間が複数回あったか否かの判定（回数判定）を行う。当該回数判定の結果、検知状態信号がハイレベルである期間の回数が１回であれば、モニタ側制御部２５は、検知状態信号がハイレベルである期間の撮像画像を録画部２３での録画対象として画像指示信号を作成し、録画部２３に与える。一方、回数判定の結果、検知状態信号がハイレベルである期間の回数が複数回であれば、モニタ側制御部２５は、検知状態信号がハイレベルである期間の撮像画像に加えて、検知状態信号がハイレベルである期間の間の撮像画像（検知状態信号がロウレベルである期間の撮像画像）を録画部２３での録画対象として画像指示信号を作成し、録画部２３に与える。
【００８５】
本例における録画部２３は、録画処理および再録画処理を実行する機能を有する代わりに、モニタ側制御部２５より画像指示信号を受け取った際に、編集録画処理を実行する機能を有する。編集録画処理では、録画部２３は、画像指示信号で指示された撮像画像を一次記憶部より読み出し、読み出した撮像画像群を動画として記憶部２２に録画する。なお、編集録画処理が実行された場合、当該編集録画処理に使用された撮像画像群は一次記憶部より消去される。
【００８６】
この例によれば、検知状態信号がハイレベルである期間の回数が１回であった場合、録画部２３の編集録画処理により、送信開始処理の実行時から上記伝送時間の経過時までに撮像部１０で撮像された撮像画像のうち、検知状態信号がハイレベルである期間の撮像画像のみが録画される。例えば、図３において、送信開始処理の実行時から上記伝送時間の経過時までに撮像部１０で撮像された撮像画像がＰ７〜Ｐ４３である場合には、撮像画像Ｐ７〜Ｐ１５のみが録画される。
【００８７】
一方、検知状態信号がハイレベルである期間の回数が複数回であった場合、録画部２３の編集録画処理により、送信開始処理の実行時から上記伝送時間の経過時までに撮像部１０で撮像された撮像画像のうち、検知状態信号がハイレベルである期間の撮像画像のみならず、検知状態信号がハイレベルである期間の間の撮像画像も録画される。例えば、図４において、送信開始処理の実行時から上記伝送時間の経過時までに撮像部１０で撮像された撮像画像がＰ７〜Ｐ４３である場合には、撮像画像Ｐ７〜Ｐ１５および撮像画像Ｐ２９〜Ｐ３７に加えて撮像画像Ｐ１６〜Ｐ２８も録画される（つまり撮像画像Ｐ７〜Ｐ３７が録画される）。
【００８８】
このようにすれば、送信開始処理の実行時から上記伝送時間の経過時までに検知状態信号がハイレベルである期間の回数に関わらず、録画部２３は、撮像画像を記憶部２２に録画する処理を１回行うだけで済むから、録画部２３の処理内容を簡素化することができる。また、このようなモニタ装置２では、画像受信部２０で撮像画像を受信した場合、画像表示部２４は動作するが、録画部２３は上記伝送時間が経過した後に動作するため、画像表示部２４と録画部２３とが同時に動作しない。よって、モニタ装置２にかかる負荷を低減でき、低消費電力化も図れる。
【００８９】
（実施形態３）
本実施形態の監視システムは、図５に示すように、主として、カメラ装置１ではなくモニタ装置２に画像処理部１２を設けた点で実施形態１と異なっている。
【００９０】
本実施形態におけるカメラ装置１は、撮像部１０と、画像送信部１１と、カメラ側制御部１４とを有するが、画像処理部１２と、検知状態信号送信部１３とは有していない。なお撮像部１０は実施形態１と同様のものであるから説明を省略する。
【００９１】
本実施形態における画像送信部１１は、撮像部１０により撮像中の撮像画像を符号化（伝送路符号化）してモニタ装置２に送信する処理（画像送信処理）を実行する。ここで、画像送信部１１からモニタ装置２に撮像画像を送出するタイミングは、撮像部１０のフレームレートと同期させている。この他、画像送信部１１は、実施形態１と同様に必要に応じて上記ＹＵＶ／ＮＴＳＣ変換処理や、撮像画像を圧縮する処理、撮像画像の輪郭を強調する処理などを行う。
【００９２】
本実施形態におけるカメラ側制御部１４は、実施形態１とは異なり、送信開始処理や、検知開始通知処理、報知開始処理、送信終了処理、検知終了通知処理、報知終了処理などは行わない。
【００９３】
すなわち、本実施形態におけるカメラ装置１は、撮像部１０で撮像された撮像画像を順次画像送信部１１より送出するものであり、汎用のカメラ装置などを用いることができる。
【００９４】
本実施形態におけるモニタ装置２は、実施形態１とは異なり検知状態受信部２１を有していないが、画像処理部１２を有している。したがって、本実施形態における画像受信部２０は、録画部２３および画像表示部２４だけではなく、画像処理部１２にも、画像送信部１１より受け取った撮像画像を復号化（伝送路復号化）して順次出力する。また、画像受信部２０は、画像送信部１１において撮像画像を圧縮する処理が実行されていた場合には、圧縮された撮像画像を伸張する処理を実行する。
【００９５】
本実施形態における画像処理部１２は、実施形態１と同様のものであり、上記の第１の処理（輪郭抽出処理）と、第２の処理（移動輪郭抽出処理）と、第３の処理（移動領域検出処理）と、第４の処理（領域特徴量検出処理）とを実行する。そして、画像処理部１２は、上記第１〜第４の処理を実行した結果、撮像部１０の撮像画像に検知対象物が写っていると判定すると、モニタ側制御部２５にハイレベルの人体検知信号を出力する。当該人体検知信号は、撮像部１０の撮像画像に検知対象物が写っていないと判定された際には、ロウレベルとなる。
【００９６】
また、本実施形態におけるモニタ装置２は、モニタ側制御部２５が実施形態１と異なっている。なお、本実施形態における記憶部２２、録画部２３、および画像表示部２４については実施形態１と同様であるから説明を省略する。
【００９７】
本実施形態におけるモニタ側制御部２５は、主として録画開始処理および録画終了処理の内容が実施形態１と異なる。本実施形態における録画開始処理では、モニタ側制御部２５は、画像処理部１２より受け取った人体検知信号がロウレベルからハイレベルになると録画部２３に録画開始信号を出力し、録画終了処理では、人体検知信号がハイレベルからロウレベルになると録画部２３に録画終了信号を出力する。すなわち本実施形態の監視システムでは、画像処理部１２が出力する人体検知信号を撮像画像に検知対象物が写っているかを示す検知状態信号として用いている。そのため、本実施形態では、画像処理部１２が、カメラ装置１の撮像部１０で撮像された撮像画像に検知対象物が写っているか否かを判定する判定手段と、判定手段の判定結果に基づいて撮像画像に検知対象物が写っているかを示す検知状態信号をモニタ側制御部２５に出力する検知状態信号出力手段とを構成する。
【００９８】
次に本実施形態の監視システムの動作について、図３（ａ），（ｂ），（ｅ）を参照して説明する。なお、以下の説明では、図３（ａ）は画像送信部１１が送信する撮像画像群を示し、図３（ｂ）は画像処理部１２がモニタ側制御部２５に出力する人体検知信号を示し、図３（ｅ）は録画部２３が記憶部２２に録画する撮像画像群を示す。また、以下では、説明の簡略化のために、処理時間や伝送時間などによる時刻のずれを無視して、同時刻に処理が実行されるとして説明を行う。
【００９９】
カメラ装置１は、図３（ａ）に示すように、起動している間は、常時、撮像部１０により所定の撮像領域を所定のフレームレートで撮像する。撮像部１０で撮像された撮像画像Ｐ１…は、画像送信部１１によりモニタ装置２に順次送信される。
【０１００】
モニタ装置２では、画像受信部２０により撮像画像Ｐ１…が受信され、録画部２３、画像表示部２４、および画像処理部１２それぞれに送られる。画像表示部２４では、受信画像群を時系列順に表示する受信画像表示処理が実行される。
【０１０１】
画像処理部１２は、所定の時間間隔で、撮像部１０の撮像画像に検知対象物が写っているか否かの判定を行う。ここで、画像処理部１２により検知対象物が写っていると判定される前（時刻ｔ１以前）は、図３（ｂ）に示すように、人体検知信号はロウレベルである。そのためモニタ側制御部２５は、録画開始処理を実行しないので、録画部２３で録画処理が開始されない。
【０１０２】
ここで、画像処理部１２により検知対象物が写っていると判定されると（時刻ｔ１）、図３（ｂ）に示すように、人体検知信号はハイレベルになる。そうすると、モニタ側制御部２５は録画開始処理を実行するので、録画部２３で録画処理が開始される。
【０１０３】
その後、画像処理部１２が撮像部１０の撮像画像に検知対象物が写っていないと判定すると、人体検知信号がロウレベルになる（時刻ｔ２）。そうすると、モニタ側制御部２５は録画終了処理を実行するから、録画部２３は、録画終了信号を受け取ってから所定時間経過後に録画処理を終了する（時刻ｔ３）。
【０１０４】
本実施形態の監視システムが上記動作を行った場合、モニタ装置２では、カメラ装置１より受け取った撮像画像Ｐ１〜Ｐ５２の全てを録画せず、撮像画像Ｐ７〜Ｐ１８を録画する。
【０１０５】
すなわち、以上述べた本実施形態の監視システムによれば、実施形態１と同様に、記憶部２２の記憶容量を増やすことなく録画可能な動画数を増やすことができる。
【０１０６】
また、本実施形態では判定手段となる画像処理部１２がモニタ装置２に設けられているので、実施形態１のように画像処理部１２をカメラ装置１に設けた場合とは異なり、カメラ装置１からモニタ装置２に検知状態信号を送信しなくて済むから、検知状態信号出力手段の構成を簡単にすることができる（検知状態信号送信部１３および検知状態信号受信部２１が不要になる）。よって、検知状態信号の送受のための通信線などが不要になり、低コスト化が図れる。また、監視システムを構成するにあたって、汎用のカメラ装置を利用することができるようになり、システムの構築が容易になる。
【０１０７】
ところで、上記の例では、画像表示部２４で行われる受信画像表示処理は、画像受信部２０より撮像画像を受け取った際に開始され、撮像画像を受け取らなくなった際に終了されるが、受信画像表示処理を行うタイミングはモニタ制御部２５により制御するようにしてもよい。すなわち、画像表示部２４は、モニタ側制御部２５から表示開始信号を受け取った際に受信画像表示処理を開始し、表示終了信号を受け取った際に終了するようにしてもよい。ここで、モニタ側制御部２５は、人体検知信号がハイレベルであれば、画像表示部２４に表示開始信号を出力し、人体検知信号がロウレベルであれば、画像表示部２４に表示終了信号を出力する。
【０１０８】
すなわち、モニタ側制御部２５は、検知状態信号に基づいて、画像受信部２０で受信された時系列順の撮像画像群のうち検知対象物が写っていると判定された撮像画像群を時系列順に表示するように画像表示部２４を制御する。
【０１０９】
このようにすれば、画像受信部２０で受信された時系列順の撮像画像群の全てを画像表示部２４で表示するのではなく、撮像画像に検知対象物が写っているかを示す検知状態信号に基づいて、画像受信部２０で受信された撮像画像のうち検知対象物が写っていると判定された撮像画像群を画像表示部２４で表示するので、画像受信部２０で受信された時系列順の撮像画像群のうち検知対象物が写っていない撮像画像を省くことが可能になるから、無駄な撮像画像の表示を抑制することができるようになり、画像表示部２４の駆動に必要な電力の低消費化を図ることができる。
【０１１０】
また、上記実施形態２における一次記憶部に関する構成は、本実施形態にも適用することができる。例えば、モニタ側制御部２５に、ハイレベルの人体検知信号を受け取ってから所定時間が経過するまでに撮像部１０で撮像された撮像画像群、およびハイレベルの人体検知信号を受け取ってから上記所定時間が経過するまでの人体検知信号（検知状態信号）の推移を示す人体検知データ（検知状態データ）とを一次記憶部（図示せず）に記憶させる一次記憶処理と、一次記憶処理の終了後に一次記憶部に記憶された人体検知データに基づいて一次記憶部に記憶された撮像画像群を録画部２３により記憶部２２に録画させる再録画処理とを実行させることによって実現できる。なお、上記所定時間は、例えば、撮像部１０の撮像範囲から退出した人と同一人が再度撮像範囲に侵入するおそれがある時間（３０秒や１分など）とすることが好ましい。これは、別人が撮像部１０の撮像範囲に侵入した場合にまで、撮像画像を補間する必要がないからである。
【図面の簡単な説明】
【０１１１】
【図１】実施形態１の監視システムのブロック図である。
【図２】同上の監視システムの設置状況を示す説明図である。
【図３】同上の監視システムの動作説明図である。
【図４】同上の監視システムの動作説明図である。
【図５】実施形態２の監視システムのブロック図である。
【符号の説明】
【０１１２】
１    カメラ装置
２    モニタ装置
１０    撮像部
１１    画像送信部
１２    画像処理部（判定手段）
１３    検知状態信号送信部
２０    画像受信部
２１    検知状態信号受信部
２２    記憶部
２３    録画部
２５    制御部
【図１】
2010004287.tif 000003
【図２】
2010004287.tif 000004
【図３】
2010004287.tif 000005
【図４】
2010004287.tif 000006
【図５】
2010004287.tif 000007